【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
腹膜透析システムであって、
ピストンおよび少なくとも１つの真空源を備えるハードウエアユニット；
該ハードウエアユニットに接続されたドアであって、該ドアが、空洞を含み、該空洞が直径を有し、該ハードウエアユニットが該ドアの反対側に位置する構造物をさらに備え、該構造物が開口を規定する、ドア；
第１の流体受け取り膜および第２の流体受け取り膜を備える使い捨てユニットであって、該使い捨てユニットが該構造物と該ドアとの間に配置される、使い捨てユニット；
真空を該使い捨てユニットの該第１の膜および該第２の膜のうちの少なくとも１つに適用するように操作可能な、該少なくとも１つの真空源；
該ピストンであって、該ピストンの少なくとも一部が該開口を通って移動し、動作中において、該膜の１つと接触し、該ピストンが該ドアの空洞の直径よりも小さな直径を有するピストンヘッドを備える、該ピストン；および
透析流体が該第１の膜と該２の膜との間で引っ張られることを可能にする、透析流体開口部、
を備える、腹膜透析システム。
【請求項２】
前記第１の膜および前記第２の膜のうちの少なくとも１つが柔軟膜である、請求項１に記載の腹膜透析システム。
【請求項３】
前記使い捨てユニットが前記膜の少なくとも１つを支持するための剛性部分を備える、請求項１に記載の腹膜透析システム。
【請求項４】
前記少なくとも１つの真空源が該ピストンの周りに真空を適用する、請求項１に記載の腹膜透析システム。
【請求項５】
前記少なくとも１つの真空源が前記ピストンと前記膜のうちの１つとの間に真空を適用する、請求項１に記載の腹膜透析システム。
【請求項６】
前記ピストンが真空通路を備え、前記少なくとも１つの真空源が該真空通路を通って前記第１の膜および前記第２の膜のうちの少なくとも１つに真空を適用する、請求項１に記載の腹膜透析システム。
【請求項７】
動作中において、前記膜のうちの一方が、前記空洞に向かって吸われ、該第１の膜および第２の膜のうちの他方が前記ピストンヘッドへと吸われる、請求項１に記載の腹膜透析システム。
【請求項８】
前記ピストンヘッドおよび前記空洞が少なくとも実質的にドーム形状である、請求項１に記載の腹膜透析システム。
【請求項９】
前記第１の膜および前記第２の膜のうちの少なくとも１つが前記空洞の内側に嵌る部分を備える、請求項１に記載の腹膜透析システム。
【請求項１０】
前記空洞の内側に嵌る膜が柔軟膜であり、前記部分が該空洞内に吸われる形状の嵌められる膜のシールされた領域である、請求項９に記載の腹膜透析システム。
【請求項１１】
前記開口を規定する構造物が、前記少なくとも１つの真空源のための真空チャンバーが形成される壁を備える、請求項１に記載の腹膜透析システム。
【請求項１２】
請求項１に記載の腹膜透析システムであって、複数の供給ラインおよび前記使い捨てユニットに接続される患者ラインを備え、該患者ラインが埋め込まれた患者カテーテルと連通するためのものであり、該腹膜透析システムが、該複数の供給ラインと連通するための透析液を含む複数の供給バッグを備える、腹膜透析システム。
【請求項１３】
腹膜透析システムであって、
（ａ）ピストンヘッドを有するピストンと、（ｂ）少なくとも１つの真空源とを含むハードウエアユニット；
該ハードウエアユニットに接続されたドアであって、該ドアは空洞を含み、該空洞が該ピストンヘッドの直径より大きい直径を有する、ドア；
該ハードウエアユニットによって受容される使い捨てユニットであって、該使い捨てユニットは、第１の流体受容膜と第２の流体受容膜とを備える、使い捨てユニット；
透析流体が該第１の膜と該２の膜との間で引っ張られることを可能にする、透析流体開口部、
を備え、
動作中において、
（ｉ）該第１の膜が該空洞内にあるように、該使い捨てユニットが該ドアに対して位置付けられ、
（ｉｉ）該少なくとも１つの真空源が、該使い捨てユニットの該第２の膜に真空を適用し、そして
（ｉｉｉ）該ピストンは、該第２の膜に接触する、
腹膜透析システム。
【請求項１４】
請求項１３に記載の腹膜透析システムであって、動作中において、前記第１の膜が前記空洞内で上方にあるように、前記使い捨てユニットが前記ドアに対して位置付けられる、腹膜透析システム。
【請求項１５】
請求項１３に記載の腹膜透析システムであって、動作中において、前記少なくとも１つの真空源が前記空洞内で前記第１の膜を引っ張るように真空を適用するように、前記使い捨てユニットが前記ドアに対して位置付けられる、腹膜透析システム。
【請求項１６】
請求項１３に記載の腹膜透析システムであって、動作中において前記空洞内にある前記第１の膜の一部分が、該部分の周りの該第１の膜の領域から分離され、前記透析流体開口部から流れる透析流体を保持し得る、腹膜透析システム。
【請求項１７】
請求項１３に記載の腹膜透析システムであって、動作中において前記空洞内にある前記第１の膜の一部分が、前記真空が適用される前記第２の膜の第２の部分の反対側の第１の部分であり、該第２の部分が、該第２の部分の周りの該第２の膜の領域から分離され、前記透析流体開口部から流れる透析流体を保持し得る、腹膜透析システム。
【請求項１８】
請求項１３に記載の腹膜透析システムであって、複数の供給ラインおよび前記使い捨てユニットに接続される患者ラインを備え、該患者ラインが患者輸液セットと連通するためのものであり、該腹膜透析システムが、該複数の供給ラインと連通するための透析液を含む複数の供給バッグを備える、腹膜透析システム。
【請求項１９】
腹膜透析システムであって、
（ａ）ピストンヘッドを有するピストンと、（ｂ）少なくとも１つの真空源とを含むハードウエアユニット；
該ハードウエアユニットに接続されたドアであって、該ドアは空洞を含む、ドア；
該ハードウエアユニットによって受容される使い捨てユニットであって、該使い捨てユニットは、ポンプチャンバーを規定する相互にシールされた第１の流体受容部材と第２の流体受容部材とを備える、使い捨てユニット；
透析流体が該ポンプチャンバー内へと該第１の部材と該２の部材との間で引っ張られることを可能にする、透析流体開口部、
を備え、
動作中において、
（ｉ）該第１の部材が該空洞内にあるように、該使い捨てユニットのポンプチャンバーが該ドアに対して位置付けられ、
（ｉｉ）該少なくとも１つの真空源が、該ポンプチャンバーにおいて該使い捨てユニットの第２の部材に真空を適用し、そして
（ｉｉｉ）該ピストンは、該ポンプチャンバーにおいて該第２の部材に接触する、
腹膜透析システム。
【請求項２０】
請求項１９に記載の腹膜透析システムであって、前記第１の部材が柔軟膜であり、前記少なくとも１つの真空源が、動作の間、（ｉ）を達成するために該第１の部材を該空洞内に吸う、腹膜透析システム。
【請求項２１】
請求項１９に記載の腹膜透析システムであって、前記第２の部材が柔軟膜であり、前記少なくとも１つの真空源が、該第２の部材を前記ピストンヘッドへと吸う、腹膜透析システム。
【請求項２２】
請求項１９に記載の腹膜透析システムであって、前記第１の流体受容部材および前記第２の流体受容部材が相互にシールされ、透析流体が前記ポンプチャンバーに入り、ポンプチャンバーから出ることが可能である、腹膜透析システム。
【請求項２３】
請求項１９に記載の腹膜透析システムであって、複数の供給ライン、ドレインラインおよび前記使い捨てユニットに接続される患者ラインを備え、該ドレインラインがドレインと連通するためのものであり、該患者ラインが患者と連通するためのものであり、該腹膜透析システムが、該複数の供給ラインと連通するための透析液を含む複数の供給バッグを備える、腹膜透析システム。
【請求項２４】
腹膜透析システムであって、
（ａ）ピストンヘッドを有するピストンと、（ｂ）少なくとも１つの真空源とを含むハードウエアユニット；
該ハードウエアユニットに接続されたドアであって、該ドアは空洞を含む、ドア；
該ハードウエアユニットによって受容される使い捨てユニットであって、該使い捨てユニットは、ポンプチャンバーを規定する第１の柔軟膜と第２の柔軟膜とを備える、使い捨てユニット；
透析流体が該ポンプチャンバー内へと該第１の膜と該２の膜との間で引っ張られることを可能にする、透析流体開口部、
を備え、
動作中において、
（ｉ）少なくとも１つの真空源が該第１の膜を空洞内に吸うように、該使い捨てユニットのポンプチャンバーが該ドアに対して位置付けられ、
（ｉｉ）該少なくとも１つの真空源が、該ポンプチャンバーにおいて該使い捨てユニットの第２の膜に真空を適用し、そして
（ｉｉｉ）該ピストンは、該ポンプチャンバーにおいて該第２の膜に接触する、
腹膜透析システム。
【請求項２５】
腹膜透析システムであって、
少なくとも１つの真空源およびピストンを備えるハードウエアユニット；
該ハードウエアユニットに接続されたドアであって、該ドアが、空洞を含み、該ハードウエアユニットが該ドアの反対側に位置する構造物をさらに備え、該構造物が開口を規定する、ドア；
第１の流体受け取り膜および第２の流体受け取り膜を備える使い捨てユニットであって、該使い捨てユニットが該構造物と該ドアとの間に配置される、使い捨てユニット；
真空を該使い捨てユニットの該第１の膜および該第２の膜のうちの少なくとも１つに適用するように操作可能な、該少なくとも１つの真空源；
該ピストンであって、該ピストンの少なくとも一部が該開口を通って移動し、動作中において、該膜の１つと接触し、該ピストンが該ドアの空洞の直径よりも小さいピストンヘッドを有する、該ピストン；および
透析流体が該第１の膜と該２の膜との間で引っ張られることを可能にする、透析流体開口部、
を備える、腹膜透析システム。
【請求項２６】
請求項１に記載の腹膜透析システムであって、前記使い捨てユニットが流体加熱経路をさらに備え、そして前記ハードウエアユニットが該流体加熱経路を加熱するヒーターを備える、腹膜透析システム。
【請求項２７】
請求項１に記載の腹膜透析システムであって、前記第１の膜と前記第２の膜との間における前記透析流体の体積を示し得る静電容量流体体積センサーを備える、腹膜透析システム。
【請求項２８】
請求項１に記載の腹膜透析システムであって、第１の部分および第２の部分を有するヒーターを備え、前記使い捨てユニットが該ヒーターの該第１の部分と該第２の部分との間にある、腹膜透析システム。
【請求項２９】
請求項１に記載の腹膜透析システムであって、前記使い捨てユニットが厚さを有し、該腹膜透析システムが空隙によって隔てられた第１の部分と第２の部分を有するヒーターを備え、該空隙が、透析流体が該使い捨てユニット内に無い場合の厚さよりも大きい、腹膜透析システム。